【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
交換レンズを装着可能な撮像装置であって、
前記交換レンズと通信するための第１の端子及び第２の端子と、
前記第１の端子からクロック信号を出力し当該クロック信号に基づいて前記第２の端子を使って通信する第１の通信モードと、前記第１の端子からクロック信号を出力せずに前記第２の端子を使って通信する第２の通信モードとを切替え可能で、前記第２の通信モードにおいて所定の条件を満たさない場合には前記第１の端子から第１の信号を前記交換レンズに出力する制御手段とを有することを特徴とする撮像装置。
【請求項２】
前記第１の信号は、前記第２の通信モードから前記第１の通信モードへの切り替えに先立って出力される信号であることを特徴とする請求項１に記載の撮像装置。
【請求項３】
前記第１の信号は、前記第２の通信モードにおいて前記制御手段により通信異常と判断された場合に出力される信号であることを特徴とする請求項１又は２に記載の撮像装置。
【請求項４】
前記制御手段は、前記第１の端子から前記第１の信号を出力後、前記第２の通信モードから前記第１の通信モードに切り替えることを特徴とする請求項１乃至３のいずれか一項に記載の撮像装置。
【請求項５】
前記第１の信号は、通信の初期化を通知する信号であることを特徴とする請求項１乃至４のいずれか一項に記載の撮像装置。
【請求項６】
前記制御手段は、前記第１の端子から前記第１の信号を出力後、前記交換レンズから前記第１の端子に第２の信号の入力があった場合、前記第１の通信モードに切り替えることを特徴とする請求項１乃至５のいずれか一項に記載の撮像装置。
【請求項７】
前記第２の信号の信号レベルは、前記第１の信号の信号レベルに相当することを特徴とする請求項６に記載の撮像装置。
【請求項８】
前記制御手段は、前記第１の信号として前記第１の端子への出力を所定のレベルに制御し、当該第１の信号の出力から所定時間経過後に前記第１の端子への出力を前記所定のレベルと異なるレベルに制御するとともに当該第１の端子の信号レベルを検知し、検知した信号レベルが前記所定のレベルに相当する場合、前記第１の通信モードに切り替えることを特徴とする請求項１乃至７のいずれか一項に記載の撮像装置。
【請求項９】
前記撮像装置はマウント部を有し、
前記第１の端子及び前記第２の端子は前記マウント部に設置されることを特徴とする請求項１乃至８のいずれか一項に記載の撮像装置。
【請求項１０】
前記所定の条件は、前記交換レンズにデータを送信してからデータが返信されるまでの時間の条件を含むことを特徴とする請求項１乃至９のいずれか一項に記載の撮像装置。
【請求項１１】
前記所定の条件は、前記交換レンズの通信速度の条件を含むことを特徴とする請求項１乃至１０のいずれか一項に記載の撮像装置。
【請求項１２】
撮像装置に装着可能な交換レンズであって、
前記撮像装置と通信するための第１のレンズ端子及び第２のレンズ端子と、
前記第１のレンズ端子からクロック信号を受信し当該クロック信号に基づいて前記第２のレンズ端子を使って通信する第１の通信モードと、前記第１のレンズ端子からクロック信号を受信せずに前記第２のレンズ端子を使って通信する第２の通信モードとを切替え可能で、前記第２の通信モードにおいて所定の条件を満たさない場合に前記撮像装置から前記第１のレンズ端子に送信されてくる第１の信号を検知可能なレンズ制御手段とを有することを特徴とする交換レンズ。
【請求項１３】
前記第１の信号は、前記第２の通信モードから前記第１の通信モードへの切り替えに先立って前記撮像装置から受信する信号であることを特徴とする請求項１２に記載の交換レンズ。
【請求項１４】
前記レンズ制御手段は、前記第１のレンズ端子を介して前記第１の信号を受信後、前記第２の通信モードから前記第１の通信モードに切り替えることを特徴とする請求項１２又は１３に記載の交換レンズ。
【請求項１５】
前記レンズ制御手段は、前記第１のレンズ端子を介して前記第１の信号を受信後、通信を初期化することを特徴とする請求項１２乃至１４のいずれか一項に記載の交換レンズ。
【請求項１６】
前記レンズ制御手段は、前記第１の信号の受信に応じて、前記第１のレンズ端子から第２の信号を出力することを特徴とする請求項１２乃至１５のいずれか一項に記載の交換レンズ。
【請求項１７】
前記第２の信号の信号レベルは、前記第１の信号の信号レベルに相当することを特徴とする請求項１６に記載の交換レンズ。
【請求項１８】
前記レンズ制御手段は、前記第１のレンズ端子の信号レベルが所定のレベルになったことを検知した場合、当該第１のレンズ端子への出力を前記所定のレベルと異なるレベルに制御することを特徴とする請求項１２乃至１７のいずれか一項に記載の交換レンズ。
【請求項１９】
前記第１の信号は、通信の初期化を示す信号であることを特徴とする請求項１２乃至１８のいずれか一項に記載の交換レンズ。
【請求項２０】
前記第１の信号は、前記第２の通信モードにおいて前記撮像装置で通信異常と判断された場合に送信される信号であることを特徴とする請求項１２乃至１９のいずれか一項に記載の交換レンズ。
【請求項２１】
前記交換レンズはレンズマウント部を有し、
前記第１のレンズ端子及び前記第２のレンズ端子は前記レンズマウント部に設置されることを特徴とする請求項１２乃至２０のいずれか一項に記載の交換レンズ。
【請求項２２】
前記所定の条件は、前記撮像装置からデータを受信してから前記撮像装置へデータを返信するまでの時間の条件を含むことを特徴とする請求項１２乃至２１のいずれか一項に記載の交換レンズ。
【請求項２３】
前記所定の条件は、前記交換レンズの通信速度の条件を含むことを特徴とする請求項１２乃至２２のいずれか一項に記載の交換レンズ。
【請求項２４】
撮像装置と交換レンズから構成される撮像装置システムであって、
前記撮像装置は、
前記交換レンズと通信するための第１の端子及び第２の端子と、
前記第１の端子からクロック信号を出力し当該クロック信号に基づいて前記第２の端子を使って通信する第１の通信モードと、前記第１の端子からクロック信号を出力せずに前記第２の端子を使って通信する第２の通信モードとを切替え可能で、前記第２の通信モードにおいて所定の条件を満たさない場合には前記第１の端子から第１の信号を前記交換レンズに出力する制御手段とを有し、
前記交換レンズは、
前記撮像装置と通信するための端子として、前記第１の端子に対応する第１のレンズ端子及び前記第２の端子に対応する第２のレンズ端子と、
前記第１の通信モードと前記第２の通信モードとを切替え可能で、前記第２の通信モードにおいて前記所定の条件を満たさない場合に前記撮像装置から前記第１のレンズ端子に送信されてくる前記第１の信号を検知可能なレンズ制御手段とを有することを特徴とする撮像装置システム。
【手続補正２】
【補正対象書類名】明細書
【補正対象項目名】０００５
【補正方法】変更
【補正の内容】
【０００５】
上記目的を達成するために、本発明に係る撮像装置は、交換レンズを装着可能な撮像装置であって、前記交換レンズと通信するための第１の端子及び第２の端子と、前記第１の端子からクロック信号を出力し当該クロック信号に基づいて前記第２の端子を使って通信する第１の通信モードと、前記第１の端子からクロック信号を出力せずに前記第２の端子を使って通信する第２の通信モードとを切替え可能で、前記第２の通信モードにおいて所定の条件を満たさない場合には前記第１の端子から第１の信号を前記交換レンズに出力する制御手段とを有することを特徴とする。
【手続補正３】
【補正対象書類名】明細書
【補正対象項目名】０００６
【補正方法】変更
【補正の内容】
【０００６】
また、撮像装置に装着可能な交換レンズは、撮像装置と通信するための第１のレンズ端子及び第２のレンズ端子と、前記第１のレンズ端子からクロック信号を受信し当該クロック信号に基づいて前記第２のレンズ端子を使って通信する第１の通信モードと、前記第１のレンズ端子からクロック信号を受信せずに前記第２のレンズ端子を使って通信する第２の通信モードとを切替え可能で、前記第２の通信モードにおいて所定の条件を満たさない場合に前記撮像装置から前記第１のレンズ端子に送信されてくる第１の信号を検知可能なレンズ制御手段とを有することを特徴とする。